(57)【要約】  【課題】過大な一時記憶領域を持たなくとも、使用者へ提供する音声の音質レベルや映像の画質レベルを一定に保ちつつ、音声データ又は映像データを再生しながら並行してのダビングを実現することのできる記録再生装置を提供すること。  【解決手段】音声データなどのコンテンツを再生しながら、並行してコンテンツのダビングを実行する記録再生装置において、ダビング対象となっているＣＤ２２から読み出したコンテンツに圧縮処理を施すエンコーダ２３と、圧縮処理により得られた圧縮データをデコーダ２６で復元させ、復元したデータを再生させる制御手段と、コンテンツの再生と並行して、圧縮処理により得られた圧縮データをＨＤＤ２５へ書き込む書込手段とを装備する。  【選択図】  図１
2005317139.tif 000002
【特許請求の範囲】
【請求項１】
音声データなどのコンテンツを再生しながら、並行して前記コンテンツのダビングを実
行する記録再生装置において、
ダビング対象となっている記憶媒体から読み出したコンテンツに圧縮処理を施す圧縮手
段と、
前記圧縮処理により得られた圧縮データを復元手段で復元させ、復元したデータを再生
させる第１の再生制御手段と、
コンテンツの再生と並行して、前記圧縮処理により得られた圧縮データを記憶用記録手
段へ書き込む第１の書込手段とを備えていることを特徴とする記録再生装置。
【請求項２】
コンテンツの再生とは別に、前記圧縮処理により得られた圧縮データを前記ダビング用
記録手段へ書き込む第２の書込手段と、
前記記憶用記録手段に記録されている圧縮データを前記復元手段で復元させ、復元した
データを再生させる第２の再生制御手段とを備えていることを特徴とする請求項１記載の
記録再生装置。
【請求項３】
再生に用いられる圧縮データ、及び／又はダビングに用いられる圧縮データを一時記憶
領域に記憶させる第１の記憶手段を備えていることを特徴とする請求項１又は請求項２記
載の記録再生装置。
【請求項４】
再生に用いられる圧縮データを一時記憶する一時記憶領域と、ダビングに用いられる圧
縮データを一時記憶する一時記憶領域とが独立していることを特徴とする請求項３記載の
記録再生装置。
【請求項５】
再生に用いられる圧縮データを一時記憶する一時記憶領域と、ダビングに用いられる圧
縮データを一時記憶する一時記憶領域とが共通していることを特徴とする請求項３記載の
記録再生装置。
【請求項６】
再生に用いられる圧縮データ、及び／又はダビングに用いられる圧縮データを一時記憶
する一時記憶領域が多重化されていることを特徴とする請求項３〜５のいずれかの項に記
載の記録再生装置。
【請求項７】
再生に用いられる圧縮データ、及び／又はダビングに用いられる圧縮データを一時記憶
する一時記憶領域の記憶容量が、ダビング対象となっている前記記憶媒体の記憶容量以上
であり、
前記第１の記憶手段が、前記圧縮処理により得られる、前記記憶媒体に記憶されている
コンテンツ全部の圧縮データを前記一時記憶領域に記憶させるものであることを特徴とす
る請求項３〜６のいずれかの項に記載の記録再生装置。
【請求項８】
前記第１の記憶手段が、前記圧縮データだけでなく、各コンテンツ間を示した情報を前
記一時記憶領域に記憶させるものであることを特徴とする請求項７記載の記録再生装置。
【請求項９】
再生に用いられる圧縮データ、及び／又はダビングに用いられる圧縮データを一時記憶
する一時記憶領域の記憶容量が、ダビング対象となっている前記記憶媒体に記憶されてい
るコンテンツ一つ分のデータ容量以上であり、
前記第１の記憶手段が、前記圧縮処理により得られる、前記記憶媒体に記憶されている
コンテンツの圧縮データを、各コンテンツ毎に前記一時記憶領域に記憶させるものである
ことを特徴とする請求項３〜６のいずれかの項に記載の記録再生装置。
【請求項１０】
再生に用いられる圧縮データを一時記憶領域に記憶させる第２の記憶手段と、
使用者が操作し得る入力手段から得られる情報に基づいて、前記使用者がダビング中に
コンテンツの早送りを要求していると判断した場合、前記使用者からの要求に基づいて、
前記一時記憶領域に記憶されている圧縮データを前記復元手段で高速度で復元させ、復元
したデータを再生させる第３の再生制御手段とを備えていることを特徴とする請求項１又
は請求項２記載の記録再生装置。
【請求項１１】
再生に用いられる圧縮データを一時記憶領域に記憶させる第２の記憶手段と、
使用者が操作し得る入力手段から得られる情報に基づいて、前記使用者がダビング中に
コンテンツの巻き戻しを要求していると判断した場合、前記使用者からの要求に基づいて
、前記一時記憶領域に記憶されている圧縮データを逆方向に前記復元手段で復元させ、復
元したデータを再生させる第４の再生制御手段とを備えていることを特徴とする請求項１
、２、１０のいずれかの項に記載の記録再生装置。
【請求項１２】
再生に用いられる圧縮データを一時記憶領域に記憶させる第２の記憶手段と、
使用者が操作し得る入力手段から得られる情報に基づいて、前記使用者がダビング中に
コンテンツのリピート再生を要求していると判断した場合、復元位置を前記一時記憶領域
の先頭に戻し、前記一時記憶領域に記憶されている圧縮データを前記復元手段で復元させ
、復元したデータを再生させる第５の再生制御手段とを備えていることを特徴とする請求
項１又は請求項２記載の記録再生装置。
【請求項１３】
使用者が操作し得る入力手段から得られる情報に基づいて、前記使用者がダビング中に
飛び越し再生、又は前へ戻っての再生を要求していると判断した場合、前記使用者からの
要求に基づいて、前記記憶用記録手段から所望のコンテンツに対する圧縮データを読み出
し、読み出した圧縮データを一時記憶領域に記憶させる第３の記憶手段と、
該第３の記憶手段により前記一時記憶領域に記憶された圧縮データを前記復元手段で復
元させ、復元したデータを再生させる第６の再生制御手段とを備えていることを特徴とす
る請求項１又は請求項２記載の記録再生装置。
【請求項１４】
使用者が操作し得る入力手段から得られる情報に基づいて、前記使用者がダビング中に
ダビングの対象となっている前記記憶媒体に記憶されているコンテンツとは別のコンテン
ツの再生を要求していると判断した場合、前記使用者からの要求に基づいて、前記記憶用
記録手段から所望のコンテンツに対する圧縮データを読み出し、読み出した圧縮データを
一時記憶領域に記憶させる第４の記憶手段と、
該第４の記憶手段により前記一時記憶領域に記憶された圧縮データを前記復元手段で復
元させ、復元したデータを再生する第７の再生制御手段とを備えていることを特徴とする
請求項１又は請求項２記載の記録再生装置。
【請求項１５】
使用者が操作し得る入力手段から得られる情報に基づいて、前記使用者がコンテンツ再
生中にダビングを要求しているか否かを判断するダビング要求判断手段を備え、
前記第１の書込手段が、
前記ダビング要求判断手段により、前記使用者がコンテンツ再生中にダビングを要求し
ていると判断された場合に、再生中のコンテンツに対応する圧縮データを前記記憶用記録
手段へ書き込むものであることを特徴とする請求項１記載の記録再生装置。
【請求項１６】
使用者が操作し得る入力手段から得られる情報に基づいて、前記使用者がコンテンツ再
生中にダビング却下を要求しているか否かを判断するダビング却下要求判断手段を備え、
前記第１の書込手段が、
前記ダビング却下要求判断手段により、前記使用者がコンテンツ再生中にダビング却下
を要求していると判断された場合は、再生中のコンテンツに対応する圧縮データを前記記
憶用記録手段へ書き込まないものであることを特徴とする請求項１記載の記録再生装置。
【請求項１７】
使用者が操作し得る入力手段から得られる情報に基づいて、前記使用者がコンテンツ再
生中にダビングを要求しているか否かを判断するダビング要求判断手段と、
該ダビング要求判断手段による判断結果に基づいて、ダビングが要求されなかったコン
テンツに対応する圧縮データを、前記記憶用記録手段から削除、又は読出不可にする第１
の削除手段とを備えていることを特徴とする請求項１又は請求項２記載の記録再生装置。
【請求項１８】
音声データなどのコンテンツを再生しながら、並行して前記コンテンツのダビングを実
行する記録再生装置において、
ダビング対象となっている記憶媒体から読み出したコンテンツに圧縮処理を施す圧縮手
段と、
前記圧縮処理により得られた圧縮データを復元手段で復元させ、復元したデータを再生
させる第１の再生制御手段と、
前記記憶媒体に記憶されているコンテンツ全部の圧縮データを一時記憶領域に記憶させ
る第５の記憶手段と、
使用者が操作し得る入力手段から得られる情報に基づいて、前記使用者がダビングを要
求しているコンテンツを選択する第１のコンテンツ選択手段と、
該第１のコンテンツ選択手段による選択結果に基づいて、前記使用者がダビングを要求
しているコンテンツに対応する圧縮データを、前記一時記憶領域から転送することによっ
て、前記記憶用記録手段へ書き込む第３の書込手段とを備えていることを特徴とする記録
再生装置。
【請求項１９】
音声データなどのコンテンツを再生しながら、並行して前記コンテンツのダビングを実
行する記録再生装置において、
ダビング対象となっている記憶媒体から読み出したコンテンツに圧縮処理を施す圧縮手
段と、
前記圧縮処理により得られた圧縮データを復元手段で復元させ、復元したデータを再生
する第１の再生制御手段と、
前記記憶手段に記憶されているコンテンツ全部の圧縮データを記憶用記録手段へ書き込
む第４の書込手段と、
使用者が操作し得る入力手段から得られる情報に基づいて、前記使用者がダビングを要
求しているコンテンツを選択する第２のコンテンツ選択手段と、
該第２のコンテンツ選択手段による選択結果に基づいて、ダビングが要求されていない
コンテンツに対応する圧縮データを、前記記憶用記録手段から削除、又は読出不可にする
第２の削除手段とを備えていることを特徴とする記録再生装置。
【請求項２０】
音声データなどのコンテンツを再生する機能と、前記コンテンツのダビングを実行する
機能とを有した記録再生装置において、
ダビング対象となっている記憶媒体から読み出したコンテンツに圧縮処理を施す圧縮手
段と、
前記圧縮処理により得られた圧縮データを復元手段で復元させ、復元したデータを再生
する第１の再生制御手段と、
前記圧縮処理により得られた圧縮データを記憶用記録手段へ書き込む第５の書込手段と
、
使用者が操作し得る入力手段から得られる情報に基づいて、前記使用者がダビングを要
求していないコンテンツを選択する第３のコンテンツ選択手段と、
該第３のコンテンツ選択手段による選択結果に基づいて、ダビングが要求されていない
コンテンツに対応する圧縮データを、前記記憶用記録手段からの読出を不可にする読出不
可手段とを備えていることを特徴とする記録再生装置。
【請求項２１】
前記記憶用記録手段に記録されているコンテンツに関するデータの管理ファイルが少な
くとも２重化され、
第１の管理ファイルには、前記記憶用記録手段に記録されている圧縮データに対応する
全てのコンテンツに関する情報が含まれ、
第２の管理ファイルには、読出不可となっているコンテンツに関する情報が含まれてい
ないことを特徴とする請求項２０記載の記録再生装置。
【請求項２２】
使用者が操作し得る入力手段から得られる情報に基づいて、前記使用者が読出不可の解
除を要求しているか否かを判断する解除要求判断手段と、
該解除要求判断手段により前記使用者が解除を要求していると判断された場合、前記読
出不可を一括して解除する第１の解除手段とを備えていることを特徴とする請求項２０又
は請求項２１記載の記録再生装置。
【請求項２３】
使用者が操作し得る入力手段から得られる情報に基づいて、前記使用者が読出不可の解
除を要求しているコンテンツを選択する第４のコンテンツ選択手段と、
該第４のコンテンツ選択手段による選択結果に基づいて、読出不可の解除が要求されて
いるコンテンツに対応する圧縮データの読出不可を解除する第２の解除手段とを備えてい
ることを特徴とする請求項２０又は請求項２１記載の記録再生装置。
【請求項２４】
ダビング対象となっている前記記憶媒体から得られる情報に基づいて、ダビング対象と
なっているコンテンツに対応する圧縮データが前記記憶用記録手段に記録され、なおかつ
読出不可になっているか否かを検索する検索手段と、
該検索手段による検索結果に基づいて、該当する圧縮データの読出不可を解除する第３
の解除手段とを備えていることを特徴とする請求項２０又は請求項２１記載の記録再生装
置。
【請求項２５】
音声データなどのコンテンツを再生する機能と、前記コンテンツのダビングを実行する
機能とを有した記録再生装置において、
ダビング対象となっている記憶媒体から読み出したコンテンツを記憶用記録手段へ書き
込む第６の書込手段と、
前記記憶用記録手段に記録されているコンテンツに圧縮処理を施す圧縮手段と、
前記圧縮処理により得られた圧縮データを前記記憶用記録手段へ書き込む第７の書込手
段と、
前記記憶用記録手段に記録されている圧縮データを復元手段で復元させ、復元したデー
タを再生させる第８の再生制御手段とを備えていることを特徴とする記録再生装置。
【請求項２６】
前記圧縮処理に並行して、前記記憶用記録手段に記録されている非圧縮データを再生す
る第９の再生制御手段を備えていることを特徴とする請求項２５記載の記録再生装置。
【請求項２７】
ダビングに用いられるコンテンツを一時記憶領域に記憶させる第６の記憶手段を備えて
いることを特徴とする請求項２５又は請求項２６記載の記録再生装置。
【請求項２８】
再生に用いられる圧縮データを一時記憶領域に記憶させる第７の記憶手段を備えている
ことを特徴とする請求項２５〜２７のいずれかの項に記載の記録再生装置。
【請求項２９】
音声データなどのコンテンツを再生する機能と、前記コンテンツのダビングを実行する
機能とを有した記録再生装置において、
ダビング対象となっている記憶媒体から読み出したコンテンツに圧縮処理を施す圧縮手
段と、
前記圧縮処理により得られた圧縮データを記憶用記録手段へ書き込む第５の書込手段と
、
前記記憶用記録手段から圧縮データを読み出し、読み出した圧縮データを一時記憶領域
に記憶させる第８の記憶手段と、
該第８の記憶手段により前記一時記憶領域に記憶された圧縮データを復元手段で復元さ
せ、復元したデータを再生させる第１０の再生制御手段とを備えると共に、
前記第８の記憶手段により前記一時記憶領域に記憶される圧縮データ量が、記憶開始当
初、それ以降と比較して少ないことを特徴とする記録再生装置。
【請求項３０】
前記第８の記憶手段が、前記一時記憶領域に記憶させる圧縮データ量を徐々に増やして
いくものであることを特徴とする請求項２９記載の記録再生装置。
【発明の詳細な説明】
【技術分野】
【０００１】
本発明は記録再生装置に関し、より詳細には、音声データや映像データなどのコンテン
ツの再生やダビングを行う記録再生装置に関する。
【背景技術】
【０００２】
ＣＤやＤＶＤなどの記憶媒体を再生する再生装置は現在広く普及している。また、ＰＣ
などでは、ＣＤから読み出した音声データを、ハードディスクなどの他の記憶媒体に記憶
させる、いわゆるダビング機能を備えたものが実用化されている。
そして、最近では、ある音楽ＣＤに記憶されている音楽データを他の記憶媒体へ記憶を
させながら、前記音楽ＣＤを再生させるといった技術が提案されている（例えば、下記の
特許文献１、２参照）。
【０００３】
特許文献１には、図１７に示したように、ダビング用のバッファとして用いられるＦＩ
ＦＯ（first-in first-out）１と、再生用のバッファとして用いられるＦＩＦＯ２を設け
て、まずＣＤから読み出した音声データをＦＩＦＯ２へ転送し、このＦＩＦＯ２に蓄積し
た音声データを再生データレート（１倍速）で読み出して再生している間に、ＣＤからダ
ビング用の音声データを倍速（再生データレート以上）で読み出し、読み出した音声デー
タをＦＩＦＯ１へ転送し、この音声データをハードディスク６へ記憶させるといった処理
を繰り返し行うようにする技術が開示されている。
【０００４】
しかしながら、特許文献１に開示された技術では、ＦＩＦＯ１、２に記憶される音声デ
ータは圧縮処理が施されたものではなく、ＣＤから読み出した音声データそのままである
ため、ＦＩＦＯ１、２の記憶領域の容量を大きくとる必要があり、コストアップになると
いった問題がある。
【０００５】
また、特許文献１に開示された技術では、再生用のバッファとして用いられるＦＩＦＯ
２のデータアンダーランを検出したときに、ダビング用の音声データの読み出しを一時中
断してＣＤから続きの再生用の音声データを読み出し、読み出した音声データをＦＩＦＯ
２に蓄積させる必要がある。ダビング用の音声データの読み出しを中断すると、当然のこ
とではあるが、ハードディスク６へのダビングに要する時間は長くなり、ダビング効率が
悪くなってしまう。
【０００６】
他方、特許文献２には、図１８に示したように、再生部１１から倍速で音声データを読
み出し、読み出した音声データに圧縮処理を施して圧縮データを得る圧縮処理部１２と、
圧縮処理部１２からの圧縮データを記録するデータ記録領域１４及び再生部１１からの音
声データそのままを記録する一時記録領域１５を有した記録媒体１３とを備え、記録媒体
１３の一時記録領域１５に記録された音声データを再生データレート（１倍速）で信号処
理部１６へ出力するようにした技術が開示されている。
【０００７】
しかしながら、特許文献２に開示された技術では、特許文献１に開示された技術と同様
に、一時記録領域１５に記録される音声データは圧縮処理が施されたものではなく、ＣＤ
などから読み出した音声データそのままであるため、一時記録領域１５の容量を大きくと
る必要があり、コスト高になるといった問題がある。
【０００８】
また、特許文献２には、図１９に示したように、例えば、８０分間の音楽が収録されて
いるＣＤを４倍速でダビングする場合、先頭２０分の音声データを一時記録領域１５へ記
録し、先頭２０分については、一時記録領域１５に記録された音声データを再生データレ
ートで信号処理部１８へ出力するようにし、残り６０分の音声データについては、データ
記録領域２０に記録された音声データを再生データレートで読み出し、圧縮伸長処理部１
９で伸長処理された音声データを信号処理部１８へ出力するようにした技術が開示されて
いる。これにより、一時記録領域１５の容量を少なくすることができ、また、再生部１１
におけるＣＤなどの記憶媒体を早く解放することができる。
【０００９】
しかしながら、特許文献２に開示された技術では、信号処理部１８へ出力する音声デー
タについて、非圧縮音声データから圧縮音声データへの切り替えがあるため、音質が突然
劣化することがある。従って、使用者へ提供する音声の音質レベルを一定に保つことが困
難であるといった課題があった。
【特許文献１】特開２００２−２０３３６１号公報
【特許文献２】特開２００３−２２８９０７号公報
【発明の開示】
【課題を解決するための手段及びその効果】
【００１０】
本発明は上記課題に鑑みなされたものであって、過大な一時記憶領域を持たなくとも、
使用者へ提供する音声の音質レベルや映像の画質レベルを一定に保ちつつ、音声データ又
は映像データを再生しながら並行してのダビングを実現することのできる、また、使用者
の満足度が高くなる記録再生装置を提供することを目的としている。
【００１１】
上記目的を達成するために本発明に係る記録再生装置（１）は、音声データなどのコン
テンツを再生しながら、並行して前記コンテンツのダビングを実行する記録再生装置にお
いて、ダビング対象となっている記憶媒体から読み出したコンテンツに圧縮処理を施す圧
縮手段と、前記圧縮処理により得られた圧縮データを復元手段で復元させ、復元したデー
タを再生させる第１の再生制御手段と、コンテンツの再生と並行して、前記圧縮処理によ
り得られた圧縮データを記憶用記録手段へ書き込む第１の書込手段とを備えていることを
特徴としている。
【００１２】
上記記録再生装置（１）によれば、圧縮データを採用しているので、過大な一時記憶領
域を必要としない。そのため、もし仮に一時記憶領域を用いたとしても、コストの増大を
抑止することができる。また、前記圧縮処理により得られた（すなわち、前記記憶用記録
手段に記録される）圧縮データを用いて、コンテンツ（例えば、音声データ）の再生が行
われる。すなわち、コンテンツのダビングに遅れることなく、コンテンツの再生が行われ
る。従って、楽曲再生などの出だしを早くすることができる。
【００１３】
また、本発明に係る記録再生装置（２）は、上記記録再生装置（１）において、コンテ
ンツの再生とは別に、前記圧縮処理により得られた圧縮データを前記記憶用記録手段へ書
き込む第２の書込手段と、前記記憶用記録手段に記録されている圧縮データを前記復元手
段で復元させ、復元したデータを再生させる第２の再生制御手段とを備えていることを特
徴としている。
【００１４】
上記記録再生装置（２）によれば、前記記憶用記録手段に記録されている圧縮データを
用いて、コンテンツの再生を行うことができる。例えば、再生用の楽曲データを音楽ＣＤ
から読み出さなくても、楽曲再生を実現することができる。従って、楽曲ＣＤからのダビ
ング用の楽曲データの読み出しを中断しなくて良い。これにより、前記ダビング用記録媒
体へのコンテンツのダビングを効率よく行うことができる。
【００１５】
また、本発明に係る記録再生装置（３）は、上記記録再生装置（１）又は（２）におい
て、再生に用いられる圧縮データ、及び／又はダビングに用いられる圧縮データを一時記
憶領域に記憶させる第１の記憶手段を備えていることを特徴としている。
【００１６】
コンテンツや圧縮データの読み出しは、通常の再生速度（等倍速）よりも高速度で行う
ことができるが、コンテンツの再生は等倍速で行う必要がある。そのため、再生に用いら
れる圧縮データを一時記憶させる領域がなければ、前記記憶用記録手段からの圧縮データ
の読み出しを等倍速で行う必要がある。換言すれば、再生に用いられる圧縮データを一時
記憶させる領域があれば、前記記憶用記録手段からの圧縮データの読み出しを等倍速では
なく、任意の速度で行うことができる。
また、記録再生装置が屋内で利用される場合にはあまり問題とならないが、車室内など
移動体の中で利用される場合には、振動などで飛び（音飛び）が発生する可能性が高くな
る。これを解決する方法の一つとして、データを一時的に蓄積させておくといった方法が
ある。
【００１７】
上記記録再生装置（３）によれば、再生に用いられる圧縮データ、及び／又はダビング
に用いられる圧縮データが一時記憶領域に記憶されるので、前記記憶用記録手段からの圧
縮データの読み出しを等倍速ではなく、任意の速度で行うことができる。また、飛びを防
止することができる。また、前記一時記憶領域に記憶されるデータはコンテンツそのもの
ではなく、圧縮データであるため、その記憶容量を小さいものとすることができ、コスト
増大を抑えることができる。
【００１８】
また、本発明に係る記録再生装置（４）は、上記記録再生装置（３）において、再生に
用いられる圧縮データを一時記憶する一時記憶領域と、ダビングに用いられる圧縮データ
を一時記憶する一時記憶領域とが独立していることを特徴としている。
上記記録再生装置（４）によれば、コンテンツ再生に影響されることなく、ダビングを
行うことができるので、ダビングの効率を良くすることができる。
【００１９】
また、本発明に係る記録再生装置（５）は、上記記録再生装置（４）において、再生に
用いられる圧縮データを一時記憶する一時記憶領域と、ダビングに用いられる圧縮データ
を一時記憶する一時記憶領域とが共通していることを特徴としている。
上記記録再生装置（５）によれば、コンテンツ再生がダビングに影響されることになる
が一時記憶領域の容量を抑えることができるため、コストの低減を図ることができる。
【００２０】
また、本発明に係る記録再生装置（６）は、上記記録再生装置（３）〜（５）のいずれ
かにおいて、再生に用いられる圧縮データ、及び／又はダビングに用いられる圧縮データ
を一時記憶する一時記憶領域が多重化されていることを特徴としている。
上記記録再生装置（６）によれば、現在使用中の一時記憶領域と待機中の一時記憶領域
とを設けることができるので、再生、ダビングそれぞれを時間のロス無くより効率的に行
うことができる。
【００２１】
また、本発明に係る記録再生装置（７）は、上記記録再生装置（３）〜（６）のいずれ
かにおいて、再生に用いられる圧縮データ、及び／又はダビングに用いられる圧縮データ
を一時記憶する一時記憶領域の記憶容量が、ダビング対象となっている前記記憶媒体の記
憶容量以上であり、前記第１の記憶手段が、前記圧縮処理により得られる、前記記憶媒体
に記憶されているコンテンツ全部の圧縮データを前記一時記憶領域に記憶させるものであ
ることを特徴としている。
【００２２】
上記記録再生装置（７）によれば、例えば、音楽ＣＤ１枚分に収録されている楽曲デー
タを一度に前記記憶用記録手段へ書き込むことができるので、ソフトの負荷を軽減するこ
とができる。また、前記記憶用記録手段への書き込み効率を良くすることができる。
【００２３】
また、本発明に係る記録再生装置（８）は、上記記録再生装置（７）において、前記第
１の記憶手段が、前記圧縮データだけでなく、各コンテンツ間を示した情報を前記一時記
憶領域に記憶させるものであることを特徴としている。
上記記録再生装置（８）によれば、例えば、音楽ＣＤ１枚分に複数の楽曲が収録されて
いたとしても、各楽曲毎にファイルを分けることができる。
【００２４】
また、本発明に係る記録再生装置（９）は、上記記録再生装置（３）〜（６）のいずれ
かにおいて、再生に用いられる圧縮データ、及び／又はダビングに用いられる圧縮データ
を一時記憶する一時記憶領域の記憶容量が、ダビング対象となっている前記記憶媒体に記
憶されているコンテンツ一つ分のデータ容量以上であり、前記第１の記憶手段が、前記圧
縮処理により得られる、前記記憶媒体に記憶されているコンテンツの圧縮データを、各コ
ンテンツ毎に前記一時記憶領域に記憶させるものであることを特徴としている。
上記記録再生装置（９）によれば、一時記憶領域に記憶されているデータをそのまま一
つのファイルとして、前記記憶用記録手段へ転送することができるので、ソフト処理の簡
素化を図ることができる。
【００２５】
また、本発明に係る記録再生装置（１０）は、上記記録再生装置（１）又は（２）にお
いて、再生に用いられる圧縮データを一時記憶領域に記憶させる第２の記憶手段と、使用
者が操作し得る入力手段から得られる情報に基づいて、前記使用者がダビング中にコンテ
ンツの早送りを要求していると判断した場合、前記使用者からの要求に基づいて、前記一
時記憶領域に記憶されている圧縮データを前記復元手段で高速度で復元させ、復元したデ
ータを再生させる第３の再生制御手段とを備えていることを特徴としている。
上記記録再生装置（１０）によれば、前記一時記憶領域に記憶されている圧縮データを
用いて、早送りが行われる。従って、ダビングの終了に関係なく、コンテンツの早送りを
実現することができる。
【００２６】
また、本発明に係る記録再生装置（１１）は、上記記録再生装置（１）、（２）、（１
０）のいずれかにおいて、再生に用いられる圧縮データを一時記憶領域に記憶させる第２
の記憶手段と、使用者が操作し得る入力手段から得られる情報に基づいて、前記使用者が
ダビング中にコンテンツの巻き戻しを要求していると判断した場合、前記使用者からの要
求に基づいて、前記一時記憶領域に記憶されている圧縮データを逆方向に前記復元手段で
復元させ、復元したデータを再生させる第４の再生制御手段とを備えていることを特徴と
している。
上記記録再生装置（１１）によれば、前記一時記憶領域に記憶されている圧縮データを
用いて、巻き戻しが行われる。従って、ダビングの終了に関係なく、コンテンツの巻き戻
しを実現することができる。
【００２７】
また、本発明に係る記録再生装置（１２）は、上記記録再生装置（１）又は（２）にお
いて、再生に用いられる圧縮データを一時記憶領域に記憶させる第２の記憶手段と、使用
者が操作し得る入力手段から得られる情報に基づいて、前記使用者がダビング中にコンテ
ンツのリピート再生を要求していると判断した場合、復元位置を前記一時記憶領域の先頭
に戻し、前記一時記憶領域に記憶されている圧縮データを前記復元手段で復元させ、復元
したデータを再生させる第５の再生制御手段とを備えていることを特徴としている。
上記記録再生装置（１２）によれば、前記一時記憶領域に記憶されている圧縮データを
用いて、リピート再生が行われる。従って、ダビングの終了に関係なく、リピート再生を
実現することができる。
【００２８】
また、本発明に係る記録再生装置（１３）は、上記記録再生装置（１）又は（２）にお
いて、使用者が操作し得る入力手段から得られる情報に基づいて、前記使用者がダビング
中に飛び越し再生、又は前へ戻っての再生を要求していると判断した場合、前記使用者か
らの要求に基づいて、前記記憶用記録手段から所望のコンテンツに対する圧縮データを読
み出し、読み出した圧縮データを一時記憶領域に記憶させる第３の記憶手段と、該第３の
記憶手段により前記一時記憶領域に記憶された圧縮データを前記復元手段で復元させ、復
元したデータを再生させる第６の再生制御手段とを備えていることを特徴としている。
【００２９】
上記記録再生装置（１３）によれば、前記記憶用記録手段に記録されている圧縮データ
を用いて、飛び越し再生（例えば、トラックアップ）、又は前へ戻っての再生（例えば、
トラックダウン）が行われる。従って、前記記録媒体に記憶されている全てのコンテンツ
のダビングが終了していなくても、すなわちダビング途中であったとしても、前記記憶用
記録手段に既に記録されているものについては、トラックアップ、トラックダウンなどを
実現することができる。
【００３０】
また、本発明に係る記録再生装置（１４）は、上記記録再生装置（１）又は（２）にお
いて、使用者が操作し得る入力手段から得られる情報に基づいて、前記使用者がダビング
中にダビングの対象となっている前記記憶媒体に記憶されているコンテンツとは別のコン
テンツの再生を要求していると判断した場合、前記使用者からの要求に基づいて、前記記
憶用記録手段から所望のコンテンツに対する圧縮データを読み出し、読み出した圧縮デー
タを一時記憶領域に記憶させる第４の記憶手段と、該第４の記憶手段により前記一時記憶
領域に記憶された圧縮データを前記復元手段で復元させ、復元したデータを再生する第７
の再生制御手段とを備えていることを特徴としている。
上記記録再生装置（１４）によれば、前記記憶用記録手段に記録されている圧縮データ
を用いて、ダビング中とは別のコンテンツの再生が行われる。従って、ダビングの終了に
関係なく、前記別のコンテンツの再生を実現することができる。
【００３１】
また、本発明に係る記録再生装置（１５）は、上記記録再生装置（１）において、使用
者が操作し得る入力手段から得られる情報に基づいて、前記使用者がコンテンツ再生中に
ダビングを要求しているか否かを判断するダビング要求判断手段を備え、前記第１の書込
手段が、前記ダビング要求判断手段により、前記使用者がコンテンツ再生中にダビングを
要求していると判断された場合に、再生中のコンテンツに対応する圧縮データを前記記憶
用記録手段へ書き込むものであることを特徴としている。
【００３２】
上記記録再生装置（１５）によれば、使用者からダビング要求があると、再生中のコン
テンツに対応する圧縮データが前記記憶用記録手段へ書き込まれる。すなわち、使用者が
ダビングを要求するコンテンツに対応する圧縮データだけを前記記憶用記録手段へ書き込
むようにすることができる。また、ダビングさせる／させないの選択をそのコンテンツの
再生中に行うことができるので、前記選択の判断を使用者は直感的に行うことができる。
【００３３】
また、本発明に係る記録再生装置（１６）は、上記記録再生装置（１）において、使用
者が操作し得る入力手段から得られる情報に基づいて、前記使用者がコンテンツ再生中に
ダビング却下を要求しているか否かを判断するダビング却下要求判断手段を備え、前記第
１の書込手段が、前記ダビング却下要求判断手段により、前記使用者がコンテンツ再生中
にダビング却下を要求していると判断された場合は、再生中のコンテンツに対応する圧縮
データを前記記憶用記録手段へ書き込まないものであることを特徴としている。
【００３４】
上記記録再生装置（１６）によれば、使用者からダビングの却下要求があると、再生中
のコンテンツに対応する圧縮データは前記記憶用記録手段へ書き込まれない。すなわち、
使用者がダビングを要求するコンテンツに対応する圧縮データだけを前記記憶用記録手段
へ書き込むようにすることができる。また、ダビングさせる／させないの選択をそのコン
テンツの再生中に行うことができるので、前記選択の判断を使用者は直感的に行うことが
できる。
【００３５】
また、本発明に係る記録再生装置（１７）は、上記記録再生装置（１）又は（２）にお
いて、使用者が操作し得る入力手段から得られる情報に基づいて、前記使用者がコンテン
ツ再生中にダビングを要求しているか否かを判断するダビング要求判断手段と、該ダビン
グ要求判断手段による判断結果に基づいて、ダビングが要求されなかったコンテンツに対
応する圧縮データを、前記記憶用記録手段から削除、又は読出不可にする第１の削除手段
とを備えていることを特徴としている。
【００３６】
上記記録再生装置（１７）によれば、上記記録再生装置（１５）又は（１６）とは異な
り、使用者がダビングを要求するものだけが前記記憶用記録手段へ書き込まれるのではな
く、前記記憶用記録手段へ一旦圧縮データが書き込まれ、使用者がダビングを要求しない
ものが削除、又は読出不可とされる。これにより、一時記憶領域の容量を小さいものにす
ることができ、コストの低減を図ることができる。
【００３７】
また、本発明に係る記録再生装置（１８）は、音声データなどのコンテンツを再生しな
がら、並行して前記コンテンツのダビングを実行する記録再生装置において、ダビング対
象となっている記憶媒体から読み出したコンテンツに圧縮処理を施す圧縮手段と、前記圧
縮処理により得られた圧縮データを復元手段で復元させ、復元したデータを再生させる第
１の再生制御手段と、前記記憶媒体に記憶されているコンテンツ全部の圧縮データを一時
記憶領域に記憶させる第５の記憶手段と、使用者が操作し得る入力手段から得られる情報
に基づいて、前記使用者がダビングを要求しているコンテンツを選択する第１のコンテン
ツ選択手段と、該第１のコンテンツ選択手段による選択結果に基づいて、前記使用者がダ
ビングを要求しているコンテンツに対応する圧縮データを、前記一時記憶領域から転送す
ることによって、前記記憶用記録手段へ書き込む第３の書込手段とを備えていることを特
徴としている。
【００３８】
上記記録再生装置（１８）によれば、使用者がダビングを要求するコンテンツに対応す
る圧縮データだけを前記記憶用記録手段へ書き込むようにすることができる。また、前記
一時記憶領域の容量は大きくなるが、処理が簡素化されるので、処理速度を向上させるこ
とができる。
【００３９】
また、本発明に係る記録再生装置（１９）は、音声データなどのコンテンツを再生しな
がら、並行して前記コンテンツのダビングを実行する記録再生装置において、ダビング対
象となっている記憶媒体から読み出したコンテンツに圧縮処理を施す圧縮手段と、前記圧
縮処理により得られた圧縮データを復元手段で復元させ、復元したデータを再生する第１
の再生制御手段と、前記記憶手段に記憶されているコンテンツ全部の圧縮データを記憶用
記録手段へ書き込む第４の書込手段と、使用者が操作し得る入力手段から得られる情報に
基づいて、前記使用者がダビングを要求しているコンテンツを選択する第２のコンテンツ
選択手段と、該第２のコンテンツ選択手段による選択結果に基づいて、ダビングが要求さ
れていないコンテンツに対応する圧縮データを、前記記憶用記録手段から削除、又は読出
不可にする第２の削除手段とを備えていることを特徴としている。
【００４０】
上記記録再生装置（１９）によれば、使用者がダビングを要求しないコンテンツに対応
する圧縮データだけは前記記憶用記録手段から削除、又は読出不可にされる。これにより
、使用者がダビングを要求するコンテンツに対応する圧縮データだけを前記記憶用記録手
段へ残すようにすることができる。また、コンテンツの選択は再生中に限定されないので
、ダビング終了後にもできる。
【００４１】
また、本発明に係る記録再生装置（２０）は、音声データなどのコンテンツを再生する
機能と、前記コンテンツのダビングを実行する機能とを有した記録再生装置において、ダ
ビング対象となっている記憶媒体から読み出したコンテンツに圧縮処理を施す圧縮手段と
、前記圧縮処理により得られた圧縮データを復元手段で復元させ、復元したデータを再生
する第１の再生制御手段と、前記圧縮処理により得られた圧縮データを記憶用記録手段へ
書き込む第５の書込手段と、使用者が操作し得る入力手段から得られる情報に基づいて、
前記使用者がダビングを要求していないコンテンツを選択する第３のコンテンツ選択手段
と、該第３のコンテンツ選択手段による選択結果に基づいて、ダビングが要求されていな
いコンテンツに対応する圧縮データを、前記記憶用記録手段からの読出を不可にする読出
不可手段とを備えていることを特徴としている。
上記記録再生装置（２０）によれば、使用者がダビングを要求しないものについても、
削除するのではなく、読み出しを不可にするだけであるので、もし仮に、使用者が過った
操作を行ったとしても、復旧させることができる。
【００４２】
また、本発明に係る記録再生装置（２１）は、上記記録再生装置（２０）において、前
記記憶用記録手段に記録されているコンテンツに関するデータの管理ファイルが少なくと
も２重化され、第１の管理ファイルには、前記記憶用記録手段に記録されている圧縮デー
タに対応する全てのコンテンツに関する情報が含まれ、第２の管理ファイルには、読出不
可となっているコンテンツに関する情報が含まれていないことを特徴としている。
上記記録再生装置（２１）によれば、コンテンツに関するデータの管理が容易となる。
また、復旧処理の簡素化を図ることができる。
【００４３】
また、本発明に係る記録再生装置（２２）は、上記記録再生装置（２０）又は（２１）
において、使用者が操作し得る入力手段から得られる情報に基づいて、前記使用者が読出
不可の解除を要求しているか否かを判断する解除要求判断手段と、該解除要求判断手段に
より前記使用者が解除を要求していると判断された場合、前記読出不可を一括して解除す
る第１の解除手段とを備えていることを特徴としている。
上記記録再生装置（２２）によれば、読出不可を一括して解除することができるので、
使用者の操作の簡素化を図ることができる。
【００４４】
また、本発明に係る記録再生装置（２３）は、上記記録再生装置（２０）又は（２１）
において、使用者が操作し得る入力手段から得られる情報に基づいて、前記使用者が読出
不可の解除を要求しているコンテンツを選択する第４のコンテンツ選択手段と、該第４の
コンテンツ選択手段による選択結果に基づいて、読出不可の解除が要求されているコンテ
ンツに対応する圧縮データの読出不可を解除する第２の解除手段とを備えていることを特
徴としている。
上記記録再生装置（２３）によれば、使用者が要求するものについて、読出不可を解除
させるようにすることができる。これにより、要求しないものまで読出不可が解除される
のを防止することができる。
【００４５】
また、本発明に係る記録再生装置（２４）は、上記記録再生装置（２０）又は（２１）
において、ダビング対象となっている前記記憶媒体から得られる情報に基づいて、ダビン
グ対象となっているコンテンツに対応する圧縮データが前記記憶用記録手段に記録され、
なおかつ読出不可になっているか否かを検索する検索手段と、該検索手段による検索結果
に基づいて、該当する圧縮データの読出不可を解除する第３の解除手段とを備えているこ
とを特徴としている。
上記記録再生装置（２４）によれば、再度同じコンテンツがダビングされる場合には、
読出不可となっているが、前記記憶用記録手段に既に記録されているものを利用すること
ができるので、ダビングの効率を向上させることができる。
【００４６】
また、本発明に係る記録再生装置（２５）は、音声データなどのコンテンツを再生する
機能と、前記コンテンツのダビングを実行する機能とを有した記録再生装置において、ダ
ビング対象となっている記憶媒体から読み出したコンテンツを記憶用記録手段へ書き込む
第６の書込手段と、前記記憶用記録手段に記録されているコンテンツに圧縮処理を施す圧
縮手段と、前記圧縮処理により得られた圧縮データを前記記憶用記録手段へ書き込む第７
の書込手段と、前記記憶用記録手段に記録されている圧縮データを復元手段で復元させ、
復元したデータを再生させる第８の再生制御手段とを備えていることを特徴としている。
【００４７】
上記記録再生装置（２５）によれば、上記記録再生装置（１）とは異なり、圧縮処理を
施す前に取りあえず、前記記憶媒体（例えば、音楽ＣＤ）から読み出したコンテンツ（例
えば、楽曲データ）が前記記憶用記録手段（例えば、ハードディスク）へ書き込まれ、そ
の後、圧縮処理が施される。これにより、復元手段（エンコーダ）の性能に拘らず高速ダ
ビングが可能となる。これは、音楽ＣＤなどの記憶媒体を早く解放したい場合に特に有効
となる。
【００４８】
また、本発明に係る記録再生装置（２６）は、上記記録再生装置（２５）において、前
記圧縮処理に並行して、前記記憶用記録手段に記録されている非圧縮データを再生する第
９の再生制御手段を備えていることを特徴としている。
上記記録再生装置（２６）によれば、前記圧縮処理に並行して、前記記憶用記録手段に
記録されている非圧縮データを用いて、コンテンツの再生ができる。すなわち、前記圧縮
処理が終了するのを待たなくても、コンテンツの再生ができる。
【００４９】
また、本発明に係る記録再生装置（２７）は、上記記録再生装置（２５）又は（２６）
において、ダビングに用いられるコンテンツを一時記憶領域に記憶させる第６の記憶手段
を備えていることを特徴としている。
記録再生装置が屋内で利用される場合にはあまり問題とならないが、車室内など移動体
の中で利用される場合には、振動などで飛び（音飛び）が発生する可能性が高くなる。こ
れを解決する方法の一つとして、データを一時的に蓄積させておくといった方法がある。
上記記録再生装置（２７）によれば、ダビングに用いられる圧縮データが一時記憶領域
に記憶されるので、音飛びなどの飛びを防止することができる。
【００５０】
また、本発明に係る記録再生装置（２８）は、上記記録再生装置（２５）〜（２７）の
いずれかにおいて、再生に用いられる圧縮データを一時記憶領域に記憶させる第７の記憶
手段を備えていることを特徴としている。
コンテンツや圧縮データの読み出しは、通常の再生速度（等倍速）よりも高速度で行う
ことができるが、コンテンツの再生は等倍速で行う必要がある。そのため、再生に用いら
れる圧縮データを一時記憶させる領域がなければ、前記記憶用記録手段からの圧縮データ
の読み出しを等倍速で行う必要がある。換言すれば、再生に用いられる圧縮データを一時
記憶させる領域があれば、前記記憶用記録手段からの圧縮データの読み出しを等倍速では
なく、任意の速度で行うことができる。
上記記録再生装置（２８）によれば、再生に用いられる圧縮データが一時記憶領域に記
憶されるので、前記記憶用記録手段からの圧縮データの読み出しを等倍速ではなく、任意
の速度で行うことができる。
【００５１】
また、本発明に係る記録再生装置（２９）は、音声データなどのコンテンツを再生する
機能と、前記コンテンツのダビングを実行する機能とを有した記録再生装置において、ダ
ビング対象となっている記憶媒体から読み出したコンテンツに圧縮処理を施す圧縮手段と
、前記圧縮処理により得られた圧縮データを記憶用記録手段へ書き込む第５の書込手段と
、前記記憶用記録手段から圧縮データを読み出し、読み出した圧縮データを一時記憶領域
に記憶させる第８の記憶手段と、該第８の記憶手段により前記一時記憶領域に記憶された
圧縮データを復元手段で復元させ、復元したデータを再生させる第１０の再生制御手段と
を備えると共に、前記第８の記憶手段により前記一時記憶領域に記憶される圧縮データ量
が、記憶開始当初、それ以降と比較して少ないことを特徴としている。
【００５２】
前記記憶用記録手段から圧縮データを読み出し、読み出した圧縮データを一時記憶領域
に記憶させ、該一時記憶領域に記憶されている圧縮データを復元させて、復元したデータ
を再生する場合、前記記憶用記録手段から読み出す圧縮データの量が多ければ多いほど、
再生開始までに要する時間は長くなる。例えば、１分間分の楽曲データを１２倍速で読み
出したとしても、読み出しには５秒を要する。すなわち、使用者から楽曲の再生が指示さ
れてから、再生開始までに５秒の時間差が生じることになる。
【００５３】
上記記録再生装置（２９）によれば、前記記憶用記録手段から読み出されて、前記一時
記憶領域に記憶される圧縮データ量が、記憶開始当初（例えば、使用者から楽曲の再生が
指示された直後）、それ以降と比較して少ない。これにより、前記使用者から楽曲の再生
が指示されてから、ほとんど時間差無く楽曲を開始させることができる。例えば、１２倍
速で６秒分の楽曲データを読み出すようにすれば、その時間差を０．５秒にすることがで
きる。
【００５４】
また、前記一時記憶領域に記憶される圧縮データが少ないと、早送りなどの処理が難し
くなるが、記憶開始から時間が経過すれば、前記一時記憶領域に多くの圧縮データ（例え
ば、１分間分）が蓄積されることになるので、早送りなどの処理についても十分対応する
ことができる。
【００５５】
また、本発明に係る記録再生装置（３０）は、上記記録再生装置（２９）において、前
記第８の記憶手段が、前記一時記憶領域に記憶させる圧縮データ量を徐々に増やしていく
ものであることを特徴としている。
上記記録再生装置（３０）によれば、前記一時記憶領域に記憶させる圧縮データ量が徐
々に増やされるので、再生レスポンスの向上を図ると共に、その後の、早送りなどの処理
についても適切に対応することができる。
【発明を実施するための最良の形態】
【００５６】
以下、本発明に係る記録再生装置の実施の形態を図面に基づいて説明する。図１（ａ）
は、実施の形態（１）に係る記録再生装置の要部を概略的に示したブロック図である。図
中２１は、ＣＤ２２などの記憶媒体からコンテンツ（例えば、楽曲データ）を倍速で読み
出し可能なＣＤドライブを示している。
【００５７】
ＣＤドライブ２１には、圧縮処理を施すエンコーダ２３が接続されており、ＣＤドライ
ブ２１で読み出されたコンテンツはエンコーダ２３で圧縮処理が施されるようになってい
る。エンコーダ２３はバッファメモリ２４を介して、ＨＤＤ２５及びデコーダ２６に接続
されている。
【００５８】
ＨＤＤ２５は、エンコーダ２３での圧縮処理により得られた圧縮データを保存するよう
になっており、デコーダ２６は、エンコーダ２３から送られてきた圧縮データやＨＤＤ２
５から読み出された圧縮データに対して復元処理を施すようになっている。デコーダ２６
での復元処理により得られたデータは、変換部（図示せず）などを介して出力部２７（例
えば、スピーカ）から出力されるようになっている。
【００５９】
バッファメモリ２４は、エンコーダ２３での圧縮処理により得られた圧縮データを一時
記憶して、ＨＤＤ２５やデコーダ２６へ転送したり、ＨＤＤ２５から読み出された圧縮デ
ータを一時記憶して、デコーダ２６へ転送するようになっている。なお、これら転送はバ
ッファメモリ２４に装備されているＤＭＡコントローラ（図示せず）によって制御され、
後述するシステムコントローラ２８の処理負荷を軽減させるようになっている。
【００６０】
また、バッファメモリ２４は、図１（ｂ）に示したように、録音に用いられる録音用Ａ
バッファ２４ａ及び録音用Ｂバッファ２４ｂと、再生に用いられる再生用Ａバッファ２４
ｃ及び再生用Ｂバッファ２４ｄとに分けて利用されるようになっており、ＨＤＤ２５へ転
送させる圧縮データについては、録音用Ａバッファ２４ａ又は録音用Ｂバッファ２４ｂへ
記憶され、デコーダ２６へ転送させる圧縮データについては、再生用Ａバッファ２４ｃ又
は再生用Ｂバッファ２４ｄへ記憶されるようになっている。
【００６１】
ＣＰＵ等を含んで構成されるシステムコントローラ２８はＣＤドライブ２１、エンコー
ダ２３、バッファメモリ２４、及びＨＤＤ２５に接続されており、例えば、ＣＤドライブ
２１を制御することによって、ＣＤドライブ２１にセットされているＣＤ２２から楽曲デ
ータを抽出（リッピング）することができるようになっている。また、システムコントロ
ーラ２８には、使用者が操作し得る操作部２９と表示部３０とが接続されている。
【００６２】
実施の形態（１）に係る記録再生装置におけるシステムコントローラ２８の行う処理動
作［１−１］を図２に示したフローチャート、及び図３に示した録音／再生タイミングチ
ャートに基づいて説明する。なお、この処理動作［１−１］は、使用者により操作部２９
が操作され、楽曲を再生させながらダビングを行う並行モードが選択された場合に行われ
る動作である。
【００６３】
まず、ＣＤドライブ２１を制御することによって、ＣＤ２２から高速度（例えば、４倍
速）で６０秒分の楽曲データを読み出し（ステップＳ１）、読み出した楽曲データをエン
コーダ２３で圧縮させる（ステップＳ２）。エンコーダ２３での圧縮処理により得られた
圧縮データを録音用Ａバッファ２４ａと再生用Ａバッファ２４ｃとに一時記憶させる（ス
テップＳ３）。
【００６４】
バッファメモリ２４に装備されている前記ＤＭＡコントローラは、録音用Ａバッファ２
４ａ及び録音用Ｂバッファ２４ｂが空になっている状態で、圧縮データが入力されると、
入力された圧縮データ（録音用Ａバッファ２４ａに記憶されている圧縮データ）を高速度
（少なくとも４倍速以上）でＨＤＤ２５へ転送させ、他方、再生用Ａバッファ２４ｃ及び
再生用Ｂバッファ２４ｄが空になっている状態で、圧縮データが入力されると、入力され
た圧縮データ（再生用Ａバッファ２４ｃに記憶されている圧縮データ）を等倍速でデコー
ダ２６へ転送させるようになっている。なお、上記したように、デコーダ２６へ転送され
た圧縮データは、デコーダ２６で復元されて出力部２７から出力されるようになっている
。すなわち、音声として出力される。
【００６５】
次に、ＣＤ２２から高速度（例えば、４倍速）で続きの６０秒分の楽曲データを読み出
し（ステップＳ４）、読み出した楽曲データをエンコーダ２３で圧縮させる（ステップＳ
５）。エンコーダ２３での圧縮処理により得られた圧縮データを録音用Ｂバッファ２４ｂ
と再生用Ｂバッファ２４ｄとに一時記憶させる（ステップＳ６）。
【００６６】
前記ＤＭＡコントローラは、録音用Ａバッファ２４ａが空でない状態（ＨＤＤ２５へ転
送すべきデータを有している状態）で、圧縮データが入力されると、前の圧縮データ（録
音用Ａバッファ２４ａに記憶されている圧縮データ）のＨＤＤ２５への転送が終了してか
ら、新たに入力された圧縮データ（録音用Ｂバッファ２４ｂに記憶されている圧縮データ
）を高速度（少なくとも４倍速以上）でＨＤＤ２５へ転送させ、他方、再生用Ａバッファ
２４ｃが空でない状態（デコーダ２６へ転送すべきデータを有している状態）で、圧縮デ
ータが入力されると、前の圧縮データ（再生用Ａバッファ２４ｃに記憶されている圧縮デ
ータ）のデコーダ２６への転送終了後それに続けて（すなわち、楽曲が途切れないように
）、入力された圧縮データ（再生用Ｂバッファ２４ｄに記憶されている圧縮データ）を等
倍速でデコーダ２６へ転送させるようになっている。
【００６７】
次に、ＣＤ２２から高速度（例えば、４倍速）で続きの６０秒分の楽曲データを読み出
し（ステップＳ７）、読み出した楽曲データをエンコーダ２３で圧縮させる（ステップＳ
８）。エンコーダ２３での圧縮処理により得られた圧縮データを、録音用Ａバッファ２４
ａ、録音用Ｂバッファ２４ｂのうち、空になっているバッファへ一時記憶させる（ステッ
プＳ９）。なお、ここで再生用のバッファに圧縮データを一時記憶させないのは、図４に
示したタイミングチャートからも分かるように、再生用のバッファからのデータの吐き出
しは録音用に比べて時間を要するからである。
【００６８】
前記ＤＭＡコントローラは、上記したように、例えば、録音用Ｂバッファ２４ｂが空で
ない状態（ＨＤＤ２５へ転送すべきデータを有している状態）で、圧縮データが入力され
ると、前の圧縮データ（録音用Ｂバッファ２４ｂに記憶されている圧縮データ）のＨＤＤ
２５への転送が終了してから、新たに入力された圧縮データ（録音用Ａバッファ２４ａに
記憶されている圧縮データ）を高速度（少なくとも４倍速以上）でＨＤＤ２５へ転送させ
るようになっている。
【００６９】
なお、ここでは所定の時間分（例えば、６０秒分）の楽曲データを読み出すようにして
いるが、楽曲は１分、２分、３分など、所定の時間分の倍数で完結するわけではないので
、各楽曲の長さに合わせて、楽曲データの読み出しを調節するのが望ましい。例えば、あ
る楽曲が３分４４秒であれば、１〜３回目までは６０秒分の楽曲データを読み出し、４回
目については４４秒分の楽曲データだけを読み出すようにする。
【００７０】
また、ここでは所定の時間分（例えば、６０秒分）の楽曲データに対応する圧縮データ
を録音用Ａバッファ２４ａ、録音用Ｂバッファ２４ｂ、再生用Ａバッファ２４ｃ、再生用
Ｂバッファ２４ｄに記憶させるようにしているが、別の実施の形態では、各バッファの容
量を楽曲１曲分のデータ容量以上にし、所定の時間分の楽曲データを読み出すのではなく
、１曲分の楽曲データを読み出して、これらバッファに記憶させるようにしても良い。こ
れにより、処理の負荷を軽減することができる。
【００７１】
次に、再生用Ａバッファ２４ｃ、再生用Ｂバッファ２４ｄのいずれかが空になっている
か否かを判断し（ステップ１０）、いずれも空になっていないと判断すれば、次に、操作
部２９から得られる情報に基づいて、使用者から早送りなどの指示が行われたか否かを判
断する（ステップＳ１１）。
【００７２】
使用者から早送りなどの指示が行われたと判断すれば、操作割込処理（図４参照）を行
い（ステップＳ１２）、その後、ＣＤ２２に記憶されている楽曲データのダビングが終了
したか否かを判断する（ステップＳ１３）。一方、使用者から早送りなどの指示は行われ
ていないと判断すれば、操作割込処理を行う必要がないので、そのままステップＳ１３へ
進んで、ダビングが終了したか否かを判断する。ダビングが終了していないと判断すれば
、ＣＤ２２から楽曲データを読み出す必要があるため、ステップＳ７へ戻り、一方、ダビ
ングが終了していると判断すれば、ＣＤ２２から楽曲データを読み出す必要がないため、
ステップ１０へ戻る。
【００７３】
他方、ステップＳ１０において、再生用Ａバッファ２４ｃ、再生用Ｂバッファ２４ｄの
いずれかが空になっていると判断すれば、ＨＤＤ２５から次に再生用のバッファに記憶さ
せるべき圧縮データを読み出し（ステップＳ１４）、読み出した圧縮データを、再生用Ａ
バッファ２４ｃ、再生用Ｂバッファ２４ｄのうち、空になっているバッファへ一時記憶さ
せる（ステップＳ１５）。
次に、再生が終了したか否かを判断し（ステップＳ１６）、再生が終了していると判断
すれば、処理動作［１−１］を終了し、再生が終了していないと判断すれば、ステップＳ
１０へ戻る。
【００７４】
前記ＤＭＡコントローラは、上記したように、例えば、再生用Ｂバッファ２４ｄが空で
ない状態（デコーダ２６へ転送すべきデータを有している状態）で、圧縮データが入力さ
れると、前の圧縮データ（再生用Ｂバッファ２４ｄに記憶されている圧縮データ）のデコ
ーダ２６への転送終了後それに続けて、新たに入力された圧縮データ（再生用Ａバッファ
２４ｃに記憶されている圧縮データ）を等倍速でデコーダ２６へ転送させるようになって
いる。
【００７５】
次に、実施の形態（１）に係る記録再生装置におけるシステムコントローラ２８の行う
処理動作［１−２］（図２に示したステップＳ１２）を図４に示したフローチャートに基
づいて説明する。まず、操作部２９から得られた情報に基づいて、使用者から早送りの指
示が行われたか否かを判断し（ステップＳ２１）、早送りの指示が行われたと判断すれば
、図５に示したように、早送り処理を行う（ステップＳ２２）。
【００７６】
・早送り処理
まず、現在再生に利用している再生用のバッファから高速度で圧縮データを読み出し、
読み出した圧縮データをデコーダ２６で復元させる。現在再生に利用している再生用のバ
ッファに記憶されている圧縮データの読み出しが終了した場合には、待機中となっていた
再生用のバッファから続けて、圧縮データを読み出すようにし、また、ＨＤＤ２５から続
きの圧縮データを読み出し、新たに待機中となった再生用のバッファに読み出した圧縮デ
ータを記憶させる。
【００７７】
ステップＳ２１において、使用者から早送りの指示は行われていないと判断すれば、次
に、操作部２９から得られる情報に基づいて、使用者から巻き戻しの指示が行われたか否
かを判断し（ステップＳ２３）、巻き戻しの指示が行われたと判断すれば、図６に示した
ように、巻き戻し処理を行う（ステップＳ２４）。
【００７８】
・巻き戻し処理
まず、現在再生に利用している再生用のバッファから圧縮データを逆方向に読み出し、
読み出した圧縮データをデコーダ２６で復元させる。また、ＨＤＤ２５から前の圧縮デー
タを読み出し、待機中となっていた再生用のバッファに読み出した圧縮データを記憶させ
る。現在再生に利用している再生用のバッファに記憶されている圧縮データの読み出しが
終了した場合には、待機中となっていた再生用のバッファから続けて、圧縮データを読み
出すようにし、また、ＨＤＤ２５からさらに前の圧縮データを読み出し、新たに待機中と
なった再生用のバッファに読み出した圧縮データを記憶させる。
【００７９】
ステップＳ２３において、使用者から巻き戻しの指示は行われていないと判断すれば、
次に、操作部２９から得られる情報に基づいて、使用者からリピート再生の指示が行われ
たか否かを判断し（ステップＳ２５）、リピート再生の指示が行われたと判断すれば、リ
ピート再生処理を行う（ステップＳ２６）。
【００８０】
・リピート再生処理
まず、現在再生に利用している再生用のバッファに、再生中の楽曲の先頭部分が記憶さ
れている場合には、再生中のバッファに記憶されている圧縮データを先頭から読み出し、
読み出した圧縮データをデコーダ２６で復元させる。一方、再生中のバッファに、再生中
の楽曲の先頭部分が記憶されていない場合には、ＨＤＤ２５から当該楽曲の先頭部分を含
んだ楽曲データを読み出し、待機中となっていた再生用のバッファに読み出した圧縮デー
タを記憶させ、そしてデコーダ２６で復元させる。さらに、ＨＤＤ２５から当該楽曲の続
きの部分を含んだ楽曲データを読み出し、新たに待機中となった再生用のバッファに読み
出した圧縮データを記憶させる。
【００８１】
ステップＳ２５において、使用者からリピート再生の指示は行われていないと判断すれ
ば、次に、操作部２９から得られる情報に基づいて、使用者からトラックアップの指示が
行われたか否かを判断し（ステップＳ２７）、トラックアップの指示が行われたと判断す
れば、図７に示したように、トラックアップ処理を行う（ステップＳ２８）。
【００８２】
・トラックアップ処理
まず、ＨＤＤ２５から次に再生予定の楽曲の先頭部分を含んだ楽曲データを読み出し、
待機中となっていた再生用のバッファに読み出した圧縮データを記憶させ、そしてデコー
ダ２６で復元させる。さらに、ＨＤＤ２５から当該楽曲の続きの部分を含んだ楽曲データ
を読み出し、新たに待機中となった再生用のバッファに読み出した圧縮データを記憶させ
る。また、トラックアップが１アップではなく、複数アップ指示された場合には、それに
応じた楽曲の圧縮データをＨＤＤ２５から読み出すようにする。
【００８３】
ステップＳ２７において、使用者からトラックアップの指示は行われていないと判断す
れば、次に、操作部２９から得られる情報に基づいて、使用者からトラックダウンの指示
が行われたか否かを判断し（ステップＳ２９）、トラックダウンの指示が行われたと判断
すれば、図８に示したように、トラックダウン処理を行う（ステップＳ３０）。
【００８４】
・トラックダウン処理
まず、ＨＤＤ２５から直前に再生した楽曲の先頭部分を含んだ楽曲データを読み出し、
待機中となっていた再生用のバッファに読み出した圧縮データを記憶させ、そしてデコー
ダ２６で復元させる。さらに、ＨＤＤ２５から当該楽曲の続きの部分を含んだ楽曲データ
を読み出し、新たに待機中となった再生用のバッファに読み出した圧縮データを記憶させ
る。また、トラックダウンが１ダウンではなく、複数ダウン指示された場合には、それに
応じた楽曲の圧縮データをＨＤＤ２５から読み出すようにする。
【００８５】
ステップＳ２９において、使用者からトラックダウンの指示は行われていないと判断す
れば、次に、操作部２９から得られる情報に基づいて、使用者から再生中のＣＤ２２とは
別のＣＤに収録されていた楽曲の再生指示が行われたか否かを判断し（ステップＳ３１）
、別のＣＤに収録されていた楽曲の再生指示が行われたと判断すれば、別の楽曲再生処理
を行う（ステップＳ３２）。
【００８６】
・別の楽曲再生処理
まず、ＨＤＤ２５から当該ＣＤに収録されていた楽曲の先頭部分を含んだ楽曲データを
読み出し、待機中となっていた再生用のバッファに読み出した圧縮データを記憶させ、そ
してデコーダ２６で復元させる。さらに、ＨＤＤ２５から当該楽曲の続きの部分を含んだ
楽曲データを読み出し、新たに待機中となった再生用のバッファに読み出した圧縮データ
を記憶させる。
【００８７】
次に、実施の形態（１）に係る記録再生装置におけるシステムコントローラ２８の行う
処理動作［１−３］を図９に示したフローチャートに基づいて説明する。なお、この処理
動作［１−３］は、使用者により操作部２９が操作され、ＨＤＤ２５に保存されている楽
曲の再生が指示された場合に行われる動作である。
【００８８】
まず、ＨＤＤ２５から使用者により指示された楽曲の先頭２秒分の圧縮データを４倍速
で読み出す（ステップＳ４１）。すなわち、０．５秒で当該楽曲の先頭部分を含んだ圧縮
データを読み出す。次に、図１０（ａ）に示したように、読み出した圧縮データを再生用
Ａバッファ２４ｃに一時記憶させる（ステップＳ４２）。
【００８９】
バッファメモリ２４に装備されている前記ＤＭＡコントローラは、上記したように、再
生用Ａバッファ２４ｃ及び再生用Ｂバッファ２４ｄが空になっている状態で、圧縮データ
が入力されると、入力された圧縮データ（再生用Ａバッファ２４ｃに記憶されている圧縮
データ）を等倍速でデコーダ２６へ転送させるようになっている。なお、デコーダ２６へ
転送された圧縮データは、デコーダ２６で復元されて出力部２７から出力されるようにな
っている。すなわち、音声として出力される。
【００９０】
次に、ＨＤＤ２５から当該楽曲の続きの４秒分の圧縮データを４倍速で読み出し（ステ
ップＳ４３）、図１０（ｂ）に示したように、読み出した圧縮データを再生用Ｂバッファ
２４ｄに一時記憶させる（ステップＳ４４）。従って、先頭２秒分の再生が終了するまで
に、続きの４秒分の圧縮データがバッファメモリ２４（再生用Ｂバッファ２４ｄ）に記憶
されることになる。
【００９１】
前記ＤＭＡコントローラは、上記したように、再生用Ａバッファ２４ｃが空でない状態
（デコーダ２６へ転送すべきデータを有している状態）で、圧縮データが入力されると、
前の圧縮データ（再生用Ａバッファ２４ｃに記憶されている圧縮データ）のデコーダ２６
への転送終了後それに続けて（すなわち、楽曲が途切れないように）、入力された圧縮デ
ータ（再生用Ｂバッファ２４ｄに記憶されている圧縮データ）を等倍速でデコーダ２６へ
転送させるようになっている。
【００９２】
次に、ＨＤＤ２５から当該楽曲の続きの８秒分の圧縮データを４倍速で読み出し（ステ
ップＳ４５）、図１０（ｃ）に示したように、読み出した圧縮データを再生用Ａバッファ
２４ｃに一時記憶させる（ステップＳ４６）。従って、先頭から６（＝２＋４）秒分の再
生が終了するまでに、続きの８秒分の圧縮データがバッファメモリ２４（再生用Ａバッフ
ァ２４ｃ）に記憶されることになる。
【００９３】
次に、ＨＤＤ２５から当該楽曲の続きの１６秒分の圧縮データを４倍速で読み出し（ス
テップＳ４７）、図１０（ｄ）に示したように、読み出した圧縮データを再生用Ｂバッフ
ァ２４ｄに一時記憶させる（ステップＳ４８）。従って、先頭から１４（＝２＋４＋８）
秒分の再生が終了するまでに、続きの１６秒分の圧縮データがバッファメモリ２４（再生
用Ｂバッファ２４ｄ）に記憶されることになる。
【００９４】
次に、再生用Ａバッファ２４ｃ、再生用Ｂバッファ２４ｄのいずれかが空になっている
か否かを判断し（ステップ４９）、いずれも空になっていないと判断すれば、ステップＳ
４９へ戻り、いずれかが空になっていると判断すれば、ＨＤＤ２５から当該楽曲の続きの
６０秒分の圧縮データを４倍速で読み出し（ステップＳ５０）、図１０（ｅ）、１０（ｆ
）に示したように、読み出した圧縮データを再生用Ａバッファ２４ｃ、再生用Ｂバッファ
２４ｄのうち、空になっているバッファへ一時記憶させる（ステップＳ５１）。
次に、再生が終了したか否かを判断し（ステップＳ５２）、再生が終了していると判断
すれば、処理動作［１−３］を終了し、一方、再生が終了していないと判断すれば、ステ
ップＳ４９へ戻る。
【００９５】
上記実施の形態（１）に係る記録再生装置によれば、圧縮データを採用しているので、
過大なバッファメモリ２４を必要としない。そのため、コストの増大を抑止することがで
きる。また、並行モードの開始当初（図３では開始から１２０秒間）においては、エンコ
ーダ２３での圧縮処理により得られた圧縮データを用いて、楽曲の再生が行われる。すな
わち、録音に遅れることなく楽曲が再生される。従って、楽曲再生の出だしを早くするこ
とができる。
【００９６】
並行モードの開始当初以外（図３では１２０秒以降）では、ＨＤＤ２５に記録されてい
る圧縮データを用いて、楽曲の再生が行われる。すなわち、ＣＤ２２から楽曲データを読
み出さなくても、楽曲再生を実現することができる。従って、ＣＤ２２からのダビング用
の楽曲データの読み出しを中断しなくて良い。これにより、ＨＤＤ２５への楽曲録音を効
率よく行うことができる。
【００９７】
また、上記実施の形態（１）に係る記録再生装置によれば、ダビングが終了していなく
ても、楽曲の早送りや巻き戻し、リピート再生、トラックアップ、トラックダウンなどを
実現することができる。また、ＨＤＤ２５に保存されている楽曲を再生させる場合、再生
用のバッファ（再生用Ａバッファ２４ｃ、再生用Ｂバッファ２４ｄ）に記憶させていく圧
縮データ量を初め少なくし、徐々に増やしていくようになっているので、使用者からの指
示に対するレスポンスを早めることができる。なお、バッファメモリ２４に記憶させてい
くデータ量を徐々に増やしていく方法については、使用者から楽曲の再生が指示された場
合ではなく、並行モードで採用するようにしても良い。
【００９８】
図１１（ａ）は、実施の形態（２）に係る記録再生装置の要部を概略的に示したブロッ
ク図である。なお、この記録再生装置は、バッファメモリ２４及びシステムコントローラ
２８を除き、図１（ａ）に示した記録再生装置と同様の構成であるため、バッファメモリ
及びシステムコントローラのみ異なる符号を付している。図中２１は、ＣＤ２２などの記
憶媒体からコンテンツ（例えば、楽曲データ）を倍速で読み出し可能なＣＤドライブを示
している。
【００９９】
ＣＤドライブ２１には、圧縮処理を施すエンコーダ２３が接続されており、ＣＤドライ
ブ２１で読み出されたコンテンツはエンコーダ２３で圧縮処理が施されるようになってい
る。エンコーダ２３はバッファメモリ３４を介して、ＨＤＤ２５及びデコーダ２６に接続
されている。
【０１００】
ＨＤＤ２５は、エンコーダ２３での圧縮処理により得られた圧縮データを保存するよう
になっており、デコーダ２６は、エンコーダ２３から送られてきた圧縮データやＨＤＤ２
５から読み出された圧縮データに対して復元処理を施すようになっている。デコーダ２６
での復元処理により得られたデータは、変換部（図示せず）などを介して出力部２７（例
えば、スピーカ）から出力されるようになっている。
【０１０１】
バッファメモリ３４は、エンコーダ２３での圧縮処理により得られた圧縮データを一時
記憶して、ＨＤＤ２５やデコーダ２６へ転送したり、ＨＤＤ２５から読み出された圧縮デ
ータを一時記憶して、デコーダ２６へ転送するようになっている。なお、これら転送はバ
ッファメモリ３４に装備されているＤＭＡコントローラ（図示せず）によって制御され、
後述するシステムコントローラ３８の処理負荷を軽減させるようになっている。
【０１０２】
また、バッファメモリ３４は、図１１（ｂ）に示したように、録音及び再生に用いられ
る録音再生用Ａバッファ３４ａと、録音再生用Ｂバッファ３４ｂとに分けて利用されるよ
うになっている。また、録音再生用Ａバッファ３４ａ、録音再生用Ｂバッファ３４ｄはい
ずれも楽曲１曲分以上のデータ容量を有している。
【０１０３】
ＣＰＵ等を含んで構成されるシステムコントローラ３８はＣＤドライブ２１、エンコー
ダ２３、バッファメモリ３４、及びＨＤＤ２５に接続されており、例えば、ＣＤドライブ
２１を制御することによって、ＣＤドライブ２１にセットされているＣＤ２２から楽曲デ
ータを抽出（リッピング）することができるようになっている。また、システムコントロ
ーラ３８には、使用者が操作し得る操作部２９と表示部３０とが接続されている。
【０１０４】
実施の形態（２）に係る記録再生装置におけるシステムコントローラ３８の行う処理動
作［２−１］を図１２に示したフローチャート、及び図１３に示した録音／再生タイミン
グチャートに基づいて説明する。なお、この処理動作［２−１］は、使用者により操作部
２９が操作され、楽曲を再生させながらダビングを行う並行モードが選択された場合に行
われる動作である。
【０１０５】
まず、ＣＤドライブ２１を制御することによって、ＣＤ２２から等倍速で１曲目の楽曲
データを１曲分読み出し（ステップＳ６１）、読み出した楽曲データをエンコーダ２３で
圧縮させる（ステップＳ６２）。エンコーダ２３での圧縮処理により得られた圧縮データ
を録音再生用Ａバッファ３４ａに一時記憶させる（ステップＳ６３）。
【０１０６】
バッファメモリ３４に装備されている前記ＤＭＡコントローラは、録音再生用Ａバッフ
ァ３４ａ及び録音再生用Ｂバッファ３４ｂが空になっている状態で、圧縮データが入力さ
れると、入力された圧縮データ（録音再生用Ａバッファ３４ａに記憶されている圧縮デー
タ）を等倍速でＨＤＤ２５及びデコーダ２６へ転送させるようになっている。なお、上記
したように、デコーダ２６へ転送された圧縮データは、デコーダ２６で復元されて出力部
２７から出力されるようになっている。すなわち、音声として出力される。
【０１０７】
次に、ＣＤ２２から等倍速で２曲目の楽曲データを１曲分読み出し（ステップＳ６４）
、読み出した楽曲データをエンコーダ２３で圧縮させる（ステップＳ６５）。エンコーダ
２３での圧縮処理により得られた圧縮データを録音再生用Ｂバッファ３４ｂに一時記憶さ
せる（ステップＳ６６）。
【０１０８】
前記ＤＭＡコントローラは、録音再生用Ａバッファ３４ａが空でない状態（ＨＤＤ２５
及びデコーダ２６へ転送すべきデータを有している状態）で、圧縮データが入力されると
、前の圧縮データ（録音再生用Ａバッファ３４ａに記憶されている圧縮データ）のＨＤＤ
２５及びデコーダ２６への転送が終了してから、新たに入力された圧縮データ（録音再生
用Ｂバッファ３４ｂに記憶されている圧縮データ）を等倍速でＨＤＤ２５及びデコーダ２
６へ転送させるようになっている。
【０１０９】
次に、ＣＤ２２から等倍速で次の楽曲の楽曲データを１曲分読み出し（ステップＳ６７
）、読み出した楽曲データをエンコーダ２３で圧縮させる（ステップＳ６８）。エンコー
ダ２３での圧縮処理により得られた圧縮データを、録音再生用Ａバッファ３４ａ、録音再
生用Ｂバッファ３４ｂのうち、空になっているバッファへ一時記憶させる（ステップＳ６
９）。
【０１１０】
なお、ここでは１曲分の楽曲データを読み出し、バッファメモリ３４に一時記憶させる
ようにしているが、別の実施の形態では、ＣＤ１枚分以上のデータ容量を有したバッファ
メモリを用い、１曲分ではなく、ＣＤ２２に記憶されている楽曲データ全部まとめて読み
出し、前記バッファメモリに一時記憶させるようにしても良い。これにより、処理の負荷
を軽減することができる。なお、このとき各楽曲間を示した情報を前記バッファメモリに
記憶させるようにするのが望ましい。
【０１１１】
次に、ＣＤ２２に記憶されている楽曲データのダビング及び再生が終了したか否かを判
断する（ステップＳ７０）。ダビング及び再生が終了していないと判断すれば、ＣＤ２２
から楽曲データを読み出す必要があるため、ステップＳ６７へ戻り、一方、ダビング及び
再生が終了していると判断すれば、ＣＤ２２から楽曲データを読み出す必要がないため、
処理動作［２−１］を終了する。
【０１１２】
上記実施の形態（２）に係る記録再生装置によれば、圧縮データを採用し、さらには録
音用と再生用とでバッファが別れていないので、過大なバッファメモリ３４を必要としな
い。そのため、コストの増大を抑止することができる。また、ダビングと再生とが同時進
行であるため、使用者はダビング進行中の楽曲が何であるのかを容易に把握することがで
きる。
【０１１３】
図１４は、実施の形態（３）に係る記録再生装置の要部を概略的に示したブロック図で
ある。図中４１は、ＣＤ４２などの記憶媒体からコンテンツ（例えば、楽曲データ）を倍
速で読み出し可能なＣＤドライブを示している。ＣＤドライブ４１には、バッファメモリ
４３を介してＨＤＤ４４が接続されており、ＨＤＤ４４にＣＤドライブ４１で読み出され
た楽曲データが保存されるようになっている。
【０１１４】
ＨＤＤ４４には圧縮処理を施すエンコーダ４５が接続されており、ＨＤＤ４４から読み
出された楽曲データはエンコーダ４５で圧縮処理が施され、圧縮処理により得られた圧縮
データについてはＨＤＤ４４で保存されるようになっている。なお、圧縮データの保存後
は楽曲データをＨＤＤ４４から消去するのが望ましい（記憶容量の確保）。また、ＨＤＤ
４４はバッファメモリ４６を介して、デコーダ４７に接続されている。
【０１１５】
デコーダ４７は、ＨＤＤ４４から読み出された圧縮データに対して復元処理を施すよう
になっている。デコーダ４７での復元処理により得られたデータは、変換部（図示せず）
などを介して出力部４８（例えば、スピーカ）から出力されるようになっている。バッフ
ァメモリ４６は、ＨＤＤ４４から読み出された圧縮データを一時記憶して、デコーダ４７
へ転送するようになっている。
【０１１６】
ＣＰＵ等を含んで構成されるシステムコントローラ４９はＣＤドライブ４１、バッファ
メモリ４３、ＨＤＤ４４、エンコーダ４５、及びバッファメモリ４６に接続されており、
例えば、ＣＤドライブ４１を制御することによって、ＣＤドライブ４１にセットされてい
るＣＤ４２から楽曲データを抽出（リッピング）することができるようになっている。ま
た、システムコントローラ４９には、使用者が操作し得る操作部５０と表示部５１とが接
続されている。
【０１１７】
上記実施の形態（３）に係る記録再生装置によれば、圧縮処理を施す前に取りあえず、
ＣＤ４２から読み出した楽曲データがＨＤＤ４４へ書き込まれ、その後、圧縮処理が施さ
れる。これにより、エンコーダ４５の性能に拘らず高速ダビングが可能となる。これは、
ＣＤ４２などの記憶媒体を早く解放したい場合に特に有効となる。
【０１１８】
また、ＣＤドライブ４１から読み出した楽曲データがバッファメモリ４３で一時記憶さ
れるので、音飛びなどを防止することができる。また、ＨＤＤ４４から読み出した圧縮デ
ータがバッファメモリ４６で一時記憶されるので、ＨＤＤ４４からの圧縮データを任意の
速度で読み出すことができる。なお、これらバッファメモリ４３、４６を採用しない場合
、記録再生装置としての性能は低下するが、コストを低くすることができる。
【０１１９】
また、上記実施の形態（３）に係る記録再生装置では、ＨＤＤ４４から読み出した圧縮
データを用いて楽曲再生を行う場合について説明しているが、別の実施の形態では、例え
ば、図１５に示したように、エンコーダ４５での圧縮処理に並行して、ＨＤＤ４４から読
み出した楽曲データ（すなわち、非圧縮データ）を用いて楽曲再生を行うようにしても良
い。
【０１２０】
また、上記実施の形態（１）〜（３）に係る記録再生装置では、ＣＤ２２、４２に収録
されている楽曲に対応する圧縮データを何の制限もなく、ＨＤＤ２５、４４へ保存するよ
うにしているが、別の実施の形態では、例えば、操作部２９、５０から得られる情報に基
づいて、下記の１〜４に示したように、使用者からの要求を考慮に入れて、圧縮データを
ＨＤＤ２５、４４へ保存させるようにしても良い。なお、ここでの判断はシステムコント
ローラで行うようにすれば良い。
【０１２１】
１．ある楽曲の再生中に使用者がダビングを要求していると判断した場合、再生中の楽
曲に対応する圧縮データをＨＤＤへ保存する。
２．ある楽曲の再生中に使用者がダビング却下を要求していると判断した場合、再生中
の楽曲に対応する圧縮データはＨＤＤへ保存せず、ダビング却下の要求がなかった楽曲に
対応する圧縮データだけをＨＤＤへ保存する。
３．再生より先に楽曲がＨＤＤに保存されているとき：ある楽曲の再生中に使用者から
ダビングが要求されなかった（又はダビング却下が要求された）と判断した場合、再生中
の楽曲に対応する圧縮データをＨＤＤから削除する。
４．１〜３とは異なり、ＨＤＤに既に保存されている圧縮データに対応する楽曲や、Ｈ
ＤＤへ転送予定の圧縮データに対応する楽曲を表示部３０、５１へ表示することによって
使用者へ紹介して、使用者に保存を要求する楽曲を選択させるようにし、その選択結果に
基づいて、ＨＤＤから圧縮データを削除したり、又はＨＤＤへ楽曲データを転送するよう
にしても良い。
【０１２２】
また、さらに別の実施の形態では、使用者が保存を要求しなかった楽曲などに対応する
圧縮データをＨＤＤから削除するのではなく、ＨＤＤからの読出を不可とするようにして
も良い。なお、これの管理については、図１６に示したように、管理ファイルを２重化し
て管理するといった方法が挙げられ、管理ファイルＦ１には読出可能となっている楽曲が
示されており、管理ファイルＦ２には読出可能／読出不可に関係なくＨＤＤにその圧縮デ
ータが記録されている楽曲が示されている。
【０１２３】
ＨＤＤから削除するのではなく、ＨＤＤからの読出を不可とすれば、圧縮データの復旧
処理の簡素化を図ることができる。例えば、読出不可としているものを一括で解除したり
（管理ファイルＦ１を管理ファイルＦ１と同じにする）、使用者から選択されたものだけ
を解除することができる。また、再度同じ楽曲がダビングされる場合には、ＨＤＤに既に
記録されているものを利用することができるので、ダビングの効率を高めることができる
。なお、同じ楽曲がＨＤＤに記録されているかどうかの判断については、ＨＤＤに記録さ
れている管理ファイル（各楽曲に関する情報を含む）とＣＤから得られるＴＯＣ情報とに
基づいて判断することができる。
【０１２４】
なお、ここまでコンテンツが楽曲データの場合について説明してきたが、本発明に係る
記録再生装置は楽曲データなどの音声データに限定されるものではなく、映像データに対
しても利用可能であり、例えば、ＤＶＤに記録されている映像データについても、ＣＤに
記録されている楽曲データと同様に記録再生可能である。
【図面の簡単な説明】
【０１２５】
【図１】（ａ）は本発明の実施の形態（１）に係る記録再生装置の要部を概略的に示したブロック図であり、（ｂ）はバッファメモリの使用形態を示した図である。
【図２】実施の形態（１）に係る記録再生装置におけるシステムコントローラの行う処理動作を示したフローチャートである。
【図３】実施の形態（１）に係る記録再生装置における録音／再生タイミングチャートを示した図である。
【図４】実施の形態（１）に係る記録再生装置におけるシステムコントローラの行う処理動作を示したフローチャートである。
【図５】実施の形態（１）に係る記録再生装置におけるバッファメモリの使用例を説明するための説明図である。
【図６】実施の形態（１）に係る記録再生装置におけるバッファメモリの使用例を説明するための説明図である。
【図７】実施の形態（１）に係る記録再生装置におけるバッファメモリの使用例を説明するための説明図である。
【図８】実施の形態（１）に係る記録再生装置におけるバッファメモリの使用例を説明するための説明図である。
【図９】実施の形態（１）に係る記録再生装置におけるシステムコントローラの行う処理動作を示したフローチャートである。
【図１０】実施の形態（１）に係る記録再生装置におけるバッファメモリの使用例を説明するための説明図である。
【図１１】（ａ）は実施の形態（２）に係る記録再生装置の要部を概略的に示したブロック図であり、（ｂ）はバッファメモリの使用形態を示した図である。
【図１２】実施の形態（２）に係る記録再生装置におけるシステムコントローラの行う処理動作を示したフローチャートである。
【図１３】実施の形態（２）に係る記録再生装置における録音／再生タイミングチャートを示した図である。
【図１４】実施の形態（３）に係る記録再生装置の要部を概略的に示したブロック図である。
【図１５】別の実施の形態に係る記録再生装置の要部を概略的に示したブロック図である。
【図１６】管理ファイルの使用例を説明するための説明図である。
【図１７】従来の記録再生装置の要部を概略的に示したブロック図である。
【図１８】従来の記録再生装置の要部を概略的に示したブロック図である。
【図１９】従来の記録再生装置の要部を概略的に示したブロック図である。
【符号の説明】
【０１２６】
２３、４５  エンコーダ
２４、３４、４３、４６  バッファメモリ
２５、４４  ＨＤＤ
２６、４７  デコーダ
２８、３８、４９、４９Ａ  システムコントローラ
【図１】
2005317139.tif 000003
【図２】
2005317139.tif 000004
【図３】
2005317139.tif 000005
【図４】
2005317139.tif 000006
【図５】
2005317139.tif 000007
【図６】
2005317139.tif 000008
【図７】
2005317139.tif 000009
【図８】
2005317139.tif 000010
【図９】
2005317139.tif 000011
【図１０】
2005317139.tif 000012
【図１１】
2005317139.tif 000013
【図１２】
2005317139.tif 000014
【図１３】
2005317139.tif 000015
【図１４】
2005317139.tif 000016
【図１５】
2005317139.tif 000017
【図１６】
2005317139.tif 000018
【図１７】
2005317139.tif 000019
【図１８】
2005317139.tif 000020
【図１９】
2005317139.tif 000021